(57)【要約】【課題】軽量で、自転車に確実に取り付けることができるので、走行中にがたついたり、外れたりすることもなく、しかも、運転者の下半身を十分に隠すことができるので、スカートを履いた女性が人目を気にせずに自転車に乗ることができる自転車用フロントカバーを提供する。【解決手段】シート状の不透明な材料からなり、ハンドル２から前輪３の車軸４までの長さ（Ｌ）を有し、上端がハンドル２に固定され、ランプ掛け８が挿入される開口９が形成された上半部１Ａは、走行中の運転者の両足間の幅（Ｗ）を有し、下端が車軸４に固定され、前輪３が入り込む切り込み１０が形成された下半部１Ｂは、下細りに形成され、上半部１Ａの上端および上半部１Ａと下半部１Ｂとの境には、芯材５、６が水平に取り付けられている。【選択図】図５
2009012525.tif 000002
【特許請求の範囲】
【請求項１】
シート状の不透明な材料からなり、ハンドルから前輪の車軸までの長さを有し、上端が前記ハンドルに固定され、ランプ掛けが挿入される開口が形成された上半部は、走行中の運転者の両足間の幅を有し、下端が前記車軸に固定され、前記前輪が入り込む切り込みが形成された下半部は、下細りに形成され、前記上半部の上端および前記上半部と前記下半部との境には、芯材が水平に取り付けられていることを特徴とする自転車用フロントカバー。
【請求項２】
前記材料は、布あるいは樹脂からなることを特徴とする、請求項１記載の自転車用フロントカバー。
【請求項３】
前記上半部の上端は、前記ハンドルに紐により固定され、前記下半部の下端は、ゴム輪により前記車軸に固定されることを特徴とする、請求項１または２記載の自転車用フロントカバー。
【発明の詳細な説明】
【技術分野】
【０００１】
この発明は、自転車用フロントカバー、特に、軽量で、自転車に確実に取り付けることができるので、走行中にがたついたり、外れたりすることがなく、しかも、運転者の下半身を十分に隠すことができるので、スカートを履いた女性が人目を気にせずに自転車に乗ることができる自転車用フロントカバーに関するものである。
【背景技術】
【０００２】
女性がスカートを履いて自転車に乗った場合、走行中にスカートがまくれることがあり、これを気にしてハンドル操作を誤り、思わぬ怪我をすることがあった。
【０００３】
そこで、この問題を解決するための自転車用フロントカバーが特許文献１（実用新案登録第３０８６１５８号公報）に開示されている。以下、この従来自転車用フロントカバーを、図面を参照しながら説明する。
【０００４】
図６は、従来自転車用フロントカバーを示すハンドル側から見た正面図、図７は、従来自転車用フロントカバーを示す背面図、図８は、従来自転車用フロントカバーを自転車に取り付けた状態を示す側面図、図９は、従来自転車用フロントカバーを折り畳んでハンドルと前かごとの間に収納した状態を示す平面図である。
【０００５】
図６および図７に示すように、従来自転車用フロントカバーＡは、両側が蝶番１４により折り畳み可能な板材１３からなり、板材１３の中央部には、自転車の前輪３が入り込む切り込み１５が形成され、切り込み１５の上部両側には、フック１６が取り付けられている。
【０００６】
従来自転車用フロントカバーＡを自転車に取り付けるには、図８に示すように、板材１３をコ字状に開き、フック１６を自転車の前かご１２に引っ掛ける。これによって、運転中、下半身の一部分が隠れるので、スカートを履いた女性は、人目を気にせずに自転車に乗ることができる。
【０００７】
一方、従来自転車用フロントカバーＡを使用しない場合には、図９に示すように、折り畳んで、ハンドル２と前かご１２との間に収納する。
【０００８】
【特許文献１】実用新案登録第３０８６１５８号公報
【発明の開示】
【発明が解決しようとする課題】
【０００９】
上述した従来技術１によれば、運転者の下半身の一部分が隠れるので、スカートを履いた女性は、ある程度、人目を気にせずに自転車に乗ることができるが、以下のような問題があった。
【００１０】
（１）板材１３は、アクリル板により構成されているので、重量があり、しかも、自転車の前かご１２に、フック１６により引っ掛けて取り付けられているだけなので、安定せず、走行中に振動によりがたついたり、外れる恐れがあった。
【００１１】
（２）板材１３は、コの字状に広げるので、その高さをあまり高くすることができない。この結果、運転者の下半身を十分に隠すことができない。
【００１２】
従って、この発明の目的は、軽量で、自転車に確実に取り付けることができるので、走行中にがたついたり、外れたりすることもなく、しかも、運転者の下半身を十分に隠すことができるので、スカートを履いた女性が人目を気にせずに自転車に乗ることができる自転車用フロントカバーを提供することにある。
【課題を解決するための手段】
【００１３】
この発明は、上記目的を達成するためになされたものであって、下記を特徴とするものである。
【００１４】
請求項１記載の発明は、シート状の不透明な材料からなり、ハンドルから前輪の車軸までの長さを有し、上端が前記ハンドルに固定され、ランプ掛けが挿入される開口が形成された上半部は、走行中の運転者の両足間の幅を有し、下端が前記車軸に固定され、前記前輪が入り込む切り込みが形成された下半部は、下細りに形成され、前記上半部の上端および前記上半部と前記下半部との境には、芯材が水平に取り付けられていることに特徴を有するものである。
【００１５】
請求項２記載の発明は、請求項１記載の発明において、前記材料は、布あるいは樹脂からなることに特徴を有するものである。
【００１６】
請求項３記載の発明は、請求項１または２記載の発明において、前記上半部の上端は、前記ハンドルに紐により固定され、前記下半部の下端は、ゴム輪により前記車軸に固定されることに特徴を有するものである。
【発明の効果】
【００１７】
この発明によれば、軽量で、自転車に確実に取り付けることができ、しかも、運転者の下半身を十分に隠すことができるので、走行中にがたついたり、外れたりすることもなく、スカートを履いた女性は、人目を気にせずに自転車に乗ることができる。
【発明を実施するための最良の形態】
【００１８】
この発明の自転車用フロントカバーの一実施態様を、図面を参照しながら説明する。
【００１９】
図１は、この発明の自転車用フロントカバーを示す正面図、図２は、この発明の自転車用フロントカバーを示す平面図、図３は、この発明の自転車用フロントカバーを示す側面図、図４は、この発明の自転車用フロントカバーを示す底面図、図５は、この発明の自転車用フロントカバーを自転車に取り付けた状態を示す部分斜視図である。
【００２０】
図１から図５に示すように、この発明の自転車用フロントカバーＢは、防水布地あるいはビニール等のシート状の不透明な材料からなっていて、自転車のハンドル２から前輪３の車軸４までの長さ（Ｌ）を有している。フロントカバーＢは、上半部１Ａと下半部１Ｂとからなっている。
【００２１】
上半部１Ａの上端には、鉄棒からなる芯材５が、そして、上半部１Ａと下半部１Ｂとの境にも、鉄棒からなる芯材６がそれぞれ水平に取り付けられている。芯材５、６は、フロントカバーＢを平面形状に保持する作用を有している。上半部１Ａの上端は、芯材５に取り付けられた紐７によりハンドル２に縛られる。上半部１Ａの中央部には、ランプ掛け８が挿入される開口９が形成されている。上半部１Ａは、走行中の運転者の両足間の幅（Ｗ）を有している。
【００２２】
下半部１Ｂは、下細りに形成され、その幅方向中央部には、前輪３が入り込む切り込み１０が縦長に形成されている。下細りに形成されているのは、下細りにしても運転者の下半身を十分に隠すことができることと、風圧を軽減し、外観を良くするためである。下半部１Ｂの下端は、ここに取り付けられたゴム輪１１により車軸４に取り付けられる。
【００２３】
このように構成されている、この発明の自転車用フロントカバーＢを自転車に取り付けるには、先ず、自転車のランプ掛け８に取り付けられている前かご１２を取り外す。次に、上半部１Ａの開口９内にランプ掛け８を通すと共に、切り込み１０内に前輪３を入れる。この後、上半部１Ａの上端の芯材５を紐７によってハンドル２に縛り、下半部１Ｂの下端をゴム輪１１により車軸４に取り付ける。このようにして、フロントカバーＢを取り付けたら、前かご１２を取り付ける。これによって、フロントカバーＢの取り付けが完了する。なお、この取付順序に限定されるものではない。
【００２４】
このようにして自転車に取り付けられた、この発明のフロントカバーＢは、その上端がハンドル２に、そして、下端が前輪３の車軸４に取り付けられ、しかも、芯材５、６によって平面形状が保持されるので、走行中の風等により変形したり、がたついたり、外れたりする恐れはない。しかも、ハンドル２から前輪３の車軸４の範囲に亘ってカバーされるので、運転者の下半身を十分に隠すことができる。この結果、スカートを履いた女性は、人目を気にせずに自転車に乗ることができる。
【００２５】
なお、ハンドル２がほぼ直線状の場合と、ハンドル２の中央部が下方に折れ曲がっている場合とでは、上半部１Ａの上端のハンドル２への取り付け高さが異なるので、この高さに応じて、上半部１Ａの長さを変える必要がある。
【図面の簡単な説明】
【００２６】
【図１】この発明の自転車用フロントカバーを示す正面図である。
【図２】この発明の自転車用フロントカバーを示す平面図である。
【図３】この発明の自転車用フロントカバーを示す側面図である。
【図４】この発明の自転車用フロントカバーを示す底面図である。
【図５】この発明の自転車用フロントカバーを自転車に取り付けた状態を示す部分斜視図である。
【図６】従来自転車用フロントカバーを示すハンドル側から見た正面図である。
【図７】従来自転車用フロントカバーを示す背面図である。
【図８】従来自転車用フロントカバーを自転車に取り付けた状態を示す側面図である。
【図９】従来自転車用フロントカバーを折り畳んでハンドルと前かごとの間に収納した状態を示す平面図である。
【符号の説明】
【００２７】
１：この発明のフロントカバー
１Ａ：上半部
１Ｂ：下半部
２：ハンドル
３：前輪
４：車軸
５：芯材
６：芯材
７：紐
８：ランプ掛け
９：開口
１０：切り込み
１１：ゴム輪
１２：前かご
１３：板材
１４：蝶番
１５：フック
【図１】
2009012525.tif 000003
【図２】
2009012525.tif 000004
【図３】
2009012525.tif 000005
【図４】
2009012525.tif 000006
【図５】
2009012525.tif 000007
【図６】
2009012525.tif 000008
【図７】
2009012525.tif 000009
【図８】
2009012525.tif 000010
【図９】
2009012525.tif 000011